(57)【要約】【課題】筐体の表面に交換可能に取付けられる外装パネルを容易に取外し可能とする電子機器を提供する。【解決手段】携帯型ナビゲーション装置１０は、複数の取付け機構のうちの少なくとも一つの取付け機構に隣接し、フロントパネル１３によって覆われる筐体１１にフロントパネル１３を背面から押し上げる押し上げ機構１４を設け、押し上げ機構１４に隣接した取付け機構の係合を解除する際に、押し上げ機構１４がフロントパネル１３を筐体１１から離れるように押し上げるように構成する。【選択図】図２
2010067702.tif 000002
【特許請求の範囲】
【請求項１】
筐体の表面に複数の取付手段によって交換可能に取付けられる外装パネルを備えた電子機器であって、
前記外装パネルによって覆われる前記筐体に該外装パネルを背面から押し上げる押上手段を備えたことを特徴とする電子機器。
【請求項２】
前記複数の取付手段は、少なくとも最初に取付状態が解除される第１取付手段と、該第１取付手段が解除された後に取付状態が解除される第２取付手段とからなり、前記押上手段は、前記第１取付手段の取付解除に伴い、前記外装パネルを押上げることを特徴とする請求項１に記載の電子機器。
【請求項３】
前記第１取付手段は、前記筐体の所定位置が押下されると取付状態が解除されることを特徴とする請求項２に記載の電子機器。
【請求項４】
前記所定位置に目印が設けられていることを特徴とする請求項３に記載の電子機器。
【発明の詳細な説明】
【技術分野】
【０００１】
本発明は、筐体の表面に複数の取付手段によって交換可能に取付けられる外装パネルを備えた電子機器に関し、特に、外装パネルを筐体から容易に取外すことができる電子機器に関するものである。
【背景技術】
【０００２】
近年、携帯電話機、携帯ナビケーション装置などの小型で取扱いに便利な電子機器が普及している。このような電子機器はファッション感覚で常時携帯されるようになってきているため、使用される季節、時間帯、使用場所などにより外観の色やデザインなどを変更することが望まれている。
【０００３】
このような要望を満たす従来技術が、例えば、下記の特許文献１（特開２００５−２２３１９２号公報）に記載されている。この特許文献１に記載されている携帯機器は、フロントケースの液晶表示側に嵌め込まれた第一外装パネルと、フロントケースの操作キー側に嵌めこまれた第二外装パネルとを有するものである。この第一及び第二外装パネルは取付け取外しが自在で、色、模様などの異なる他の外装パネルに交換可能になっている。
【０００４】
この取付け取外しのための具体的な構成は、第一及び第二外装パネルに設けた係止爪がフロントケースに設けた係止爪に係合するようになっており、また、第一及び第二外装パネルに設けた爪がフロントケースの裏側面と係合するようになっている。更に、フロントケースには第一及び第二外装パネルの取外し用の凹部が形成されている。その結果、第一及び第二外装パネルは係止爪、爪などの係合によりフロントケースに取付けられる。そして、第一及び第二外装パネルをフロントケースから取外す場合は、取外し用の凹部に取外し冶具を当接させて係止爪、爪などの係合状態を解除すことによって行なう。
【特許文献１】特開２００５−２２３１９２号公報（段落［００２０］、段落［００２２］〜段落［００２９］、段落［００３５］、図４）
【発明の開示】
【発明が解決しようとする課題】
【０００５】
しかしながら、従来の外装パネルを備えた携帯機器においては、その外装パネルを取外すために取外し用の凹部を設け、この凹部に取外し冶具を当接させて行なっているので、その取外しのために取外し冶具を必要とする。そのため、外装パネルの取外し作業が面倒であるだけでなく、取外し冶具を紛失すると外装パネルを取り外すことができなくなるなどの問題点があった。
【０００６】
そこで、本発明は、上記の問題点を解消することを課題とし、筐体の表面に交換可能に取付けられる外装パネルを容易に取外し可能とする電子機器を提供することを目的とするものである。
【課題を解決するための手段】
【０００７】
前記課題を解決するため、本願の請求項１に係る発明は、
筐体の表面に複数の取付手段によって交換可能に取付けられる外装パネルを備えた電子機器であって、
前記外装パネルによって覆われる前記筐体に該外装パネルを背面から押し上げる押上手段（例えば下記実施例では、押し上げ機構１４に相当する）を備えたことを特徴とする。
【０００８】
また、本願の請求項２に係る発明は、請求項１に係る電子機器において、前記複数の取付手段は、少なくとも最初に取付状態が解除される第１取付手段と、該第１取付手段が解除された後に取付状態が解除される第２取付手段とからなり、前記押上手段は、前記第１取付手段の取付解除に伴い、前記外装パネルを押上げることを特徴とする。
【０００９】
また、本願の請求項３に係る発明は、請求項２に係る電子機器において、前記第１取付手段は、前記筐体の所定位置が押下されると取付状態が解除されることを特徴とする。
【００１０】
また、本願の請求項４に係る発明は、請求項３に係る電子機器において、前記所定位置に目印が設けられていることを特徴とする。
【発明の効果】
【００１１】
本発明の電子機器は、次に示すような優れた効果を奏する。すなわち、請求項１に係る発明においては、外装パネルによって覆われる前記筐体に該外装パネルを背面から押し上げる押上手段が設けられている。
【００１２】
このような構成によれば、この取付手段による取付け状態を解除する際に、押上手段の押し上げ力が外装パネルに作用し、外装パネルを筐体から離れるようにする。そのため、外装パネルの取外し作業が容易に行なえる電子機器を提供できる。
【００１３】
また、請求項２に係る発明においては、請求項１に係る電子機器において、前記複数の取付手段は、少なくとも最初に取付状態が解除される第１取付手段と、該第１取付手段が解除された後に取付状態が解除される第２取付手段とからなり、前記押上手段は、前記第１取付手段の取付解除に伴い、前記外装パネルを押上げる。
【００１４】
また、請求項３に係る発明においては、請求項２に係る電子機器において、前記第１取付手段は、前記筐体の所定位置が押下されると取付状態が解除される。
【００１５】
このような構成によれば、外装パネルを取外すときには、最初に取付状態が解除される第１取付手段の取外し作業を行なう際に、押上手段の押上げ力を直接に利用できるので、この部分における外装パネルを筐体から分離させることが容易となり第２取付手段の係合状態の解除作業への移行が円滑にできる。従って、外装パネルは筐体から容易に取外すことができる電子機器を提供できる。
【００１６】
また、第２取付手段は確実な係合状態に維持されているので外装パネルが不用意に筐体から外れてしまうことがない。従って、外装パネルを筐体に取付ける本来の取付け状態を確実に確保することができる電子機器を提供できる。
【００１７】
また、請求項４に係る発明においては、請求項３に係る電子機器において、前記所定位置に目印が設けられている。そのため、外装パネルの取外しの際に、その第１取付手段の位置が外部から認識でき、このマークが施されている筐体の側壁を押圧することにより容易に取付け機構の解除を行なうことができる。従って、最も取外し作業の容易な箇所が直ちに判明して取外し作業を迅速に行うことができる電子機器を提供できる。
【発明を実施するための最良の形態】
【００１８】
以下、本発明の具体例を実施例及び図面を用いて詳細に説明する。但し、以下に示す実施例は、本発明の技術思想を具体化するための携帯型ナビゲーション装置を例示するものであって、本発明をこの携帯型ナビゲーション装置に特定することを意図するものではなく、特許請求の範囲に含まれるその他の実施形態の電子機器にも等しく適用し得るものである。
【実施例】
【００１９】
図１は、本発明の一実施例に係る携帯型ナビゲーション装置の正面から見た斜視図、図２は、本発明の一実施例に係る携帯型ナビゲーション装置においてフロントパネルを取外した状態を示す斜視図、図３は、図２におけるフロントパネルを背面から見た斜視図、図４は、図１のＡ−Ａ線で切断した断面図、図５は、図４において携帯型ナビゲーション装置の筐体からフロントパネルを取外す過程を示す断面図である。
【００２０】
本実施例に係る携帯型ナビゲーション装置１０は、図１で示すように、矩形で扁平状の筐体１１と、筐体１１の前面に設けられたタッチパネル式の表示部１２と、筐体１１の前面において表示部１２を縁取る枠状のフロントパネル１３とからなる。このフロントパネル１３は、図２、図３に示すように、上辺と左右の辺に側壁を有しており、合成樹脂材で形成され種々の色やデザインなどが施されている。
【００２１】
フロントパネル１３は、複数の取付け機構によって筐体１１に着脱自在に取付けられるようになっている。この着脱のための取付け機構は、図２、図３で示すように、次のような構成からなっている。
【００２２】
なお、フロントパネル１３は、図２に示すように筐体１１に取付けた状態で外部に露出する側をフロントパネル１３の正面とし、取付けた状態で筐体１１と接する側をフロントパネル１３の背面とする。
【００２３】
筐体１１には、図２に示すように、携帯型ナビゲーション装置１０を正面から見た状態において、筐体１１の左の縁に形成されたフック１１０Ｌと、筐体１１の右の縁において側方に向かって開口して形成された係止孔１１０Ｒと、筐体１１の上縁において上方に向かって開口して形成された一対の係止孔１１１と、筐体１１の下部において上方に向かって開口して形成された３個の係止孔１１２と、が設けられている。
【００２４】
一方、図３に示すように、フロントパネル１３の背面には、フロントパネル１３の左枠(図３から見て右)の側壁においてフック１１０Ｌと対向する位置に内方に向かって突出して形成された係止爪１３０Ｌと、フロントパネル１３の右枠の側壁において係止孔１１０Ｒと対向する位置に内方に向かって突出して形成された１３０Ｒと、フロントパネル１３の上枠側壁において係止孔１１１と対向する位置に内方に向かって突出して形成された一対の係止爪１３１と、フロントパネル１３の下枠において係止孔１１２と対向する位置に内方に向かって突出して形成された３個の係止片１３２と、が設けられている。
【００２５】
ここで、筐体１１は前部分が合成樹脂材で形成されている。フック１１０Ｌは合成樹脂材からなり筐体１１と一体に形成され、支持部分が撓んで筐体１１の側方に向かって前後するようになっている。そして、フック１１０Ｌは他の係止爪、係止孔などからなる取付け機構に比し、係止爪１３０Ｌとの係合状態が緩やかで解除し易く設定されている。
【００２６】
また、筐体１１の上縁においては、前面に向かって開口した一対の位置決め孔１１３が形成され、フロントパネル１３の上枠においては、位置決め孔１１３に対抗する位置に一対の位置決め突起１３３が形成されている。
【００２７】
更に、筐体１１の左側のフック１１０Ｌに隣接した前面側には、フロントパネル１３の左枠を押し上げるための押し上げ機構１４が設けられている。この押し上げ機構１４は、先端に凸部１４１を有した弾性アーム１４２からなり、弾性アーム１４２が凸部１４１を常に筐体１１の表面から弾性的に突出するように偏倚させている。この弾性アーム１４２は、筐体１１に形成された溝に、合成樹脂材からなる筐体１１の前面と一体に形成されている。
【００２８】
更に、筐体１１の側壁におけるフック１１０Ｌに対応する位置には、円形の凹部によって形成されたマーク１５が施されている。このマーク１５によって、筐体１１にフロントパネル１３が取付けられた際に、取付けられたフロントパネル１３によって覆われて見えなくなるフック１１０Ｌの大まかな位置を外部より認識できるようになっている。
【００２９】
次に、上述した本実施例の携帯型ナビゲーション装置１０ついて、フロントパネル１３を筐体１１に着脱する方法を説明する。
【００３０】
まず、フロントパネル１３を筐体１１に取付ける場合は、フロントパネル１３の下枠側縁を対応する筐体１１の下部前面に当て、フロントパネル１３の下枠に設けられた３個の係止片１３２を夫々筐体１１に設けられた係止孔１１２に挿入する。この状態で、フロントパネル１３を筐体１１前面に強く押し当てる。
【００３１】
その結果、係止爪１３０Ｌがフック１１０Ｌに係止した係合状態で、係止爪１３０Ｒがフック１１０Ｒに係止した係合状態で、係止爪１３１が係止孔１１１に係止した係合状態で、位置決め突起１３３が位置決め孔１１３に挿入してフロントパネル１３は筐体１１に位置決めされた状態で取付けられる。
【００３２】
押し上げ機構１４は、図４で示すように、フロントパネル１３が筐体１１に取付けられた状態において、凸部１４１がフロントパネル１３の枠背面に当たり弾性アーム１４２の弾性力に逆らって後退した状態にある。
【００３３】
このようにしてフロントパネル１３は複数個所に設けた取付け機構によって筐体１１に取付けられる。そして、携帯型ナビゲーション装置１０は、このフロントパネル１３を取付けた状態で使用される。
【００３４】
次に、フロントパネル１３を筐体１１から取外す場合は、マーク１５の施された筐体１１の側壁を押圧すると、このマーク１５に対応する位置に設けられたフック１１０Ｌと係止爪１３０Ｌとからなる取付け機構の係合状態が解除され、それと同時に、押し上げ機構１４による押し上げ力がフロントパネル１３を押し上げる。
【００３５】
即ち、フック１１０Ｌと係止爪１３０Ｌとからなる取付け機構の係合状態の解除に際しては、フック１１０Ｌが支持部分の撓みによって後退するので係止爪１３０Ｌとの係止を直ちに解除させる。このため、筐体１１の側壁に施されたマーク１５の位置は、その位置の側壁を押圧すれば、フック１１０Ｌの支持部分が最も撓みやすい位置に対応させておくことが好ましい。
【００３６】
そして、フック１１０Ｌと係止爪１３０Ｌからなるフック機構の係止状態を解除させると同時に、凸部１４１が弾性アーム１４２の弾性力によって係止部分のフロントパネル１３を背面から押し上げる。そのため、係止爪１３０Ｌのフック１１０Ｌへの係止が解除されると、フロントパネル１３と筐体１１との間に間隙が生じる。
【００３７】
図５で示すように、フロントパネル１３と筐体１１との間に間隙１６が生じることにより、その間隙１６に爪などをかけて間隙を押し広げ大きくなることによりフロントパネル１３を筐体１１から引き離すことができる。そして、係止爪１３１と係止孔１１１の係合状態、係止爪１３０Ｒと係止孔１１０Ｒの係合状態を解除する。
【００３８】
フロントパネル１３は上方と左右の枠が筐体１１から引き離されるので、引き続き、フロントパネル１３を全体的に上方にずらすことにより係合片１３２の係合孔１１２への係合状態を解除する。その結果、フロントパネル１３は筐体１１から完全に取外される。
【００３９】
従って、本実施例の携帯型ナビゲーション装置１０によれば、フック１１０Ｌと係止爪１３０Ｌとからなる取付け機構の係合状態を解除させる際に、押し上げ機構１４の押し上げ力がフロントパネル１３を背面から押し上げて取付け機構の解除力として作用する。そして、フロントパネル１３と筐体１１との間に間隙が生じて両者の分離を容易にする。
【００４０】
また、押し上げ機構１４が隣接するフック１１０Ｌと係止爪１３０Ｌとからなる取付け機構は、フック１１０Ｌの支持部分が撓み易くなっているので他の取付け機構よりも係合状態を解除し易すく設定されている。そのため、この係合状態が解除し易い取付け機構の箇所の取外し作業を行なうと、押し上げ機構１４の押し上げ力を直接に利用できるので、この部分におけるフロントパネル１３を筐体１１から分離させることが容易となる。
【００４１】
そして、筐体１１からフロントパネル１３が部分的に分離されることにより生じる間隙１６には、更に爪などをかけて間隙を押し広げることができるので、他のフック機構の係合状態の解除作業への移行が円滑にできる。
【００４２】
一方、他の取付け機構は堅固な係合状態に維持されているので、フロントパネル１３を筐体１１に取付けた状態においては不用意にフロントパネル１３が外れてしまうことがない。
【００４３】
また、フック１１０Ｌと係止爪１３０Ｌとからなる取付け機構が設けられている位置に対応する筐体１１の側壁には、この取付け機構の所在を示すマーク１５が施されているので、フロントパネル１３の取外しの際に、その取付け機構の位置がマーク１５を目印にして外部から認識でき、このマーク１５が施されている筐体１１の側壁を押圧することにより容易に取付け機構の解除を行なうことができる。
【００４４】
なお、上記実施例においては、押し上げ機構１４を複数の取付け機構のうちの一つの取付け機構に設けた場合について説明したが、本発明はこれに限定されることなく複数の取付け機構にそれぞれ押し上げ機構１４を設けてもよい。
【００４５】
また、上記実施例においては、押し上げ機構１４が隣接する取付け機構を他のものよりも係合状態を解除し易く設定したが、本発明はこのように積極的に解除し易く設定することなく、他の取付け機構と同様な状態にしたものであってもよい。
【００４６】
また、上記実施例においては、携帯型ナビケーション装置のような携帯型の電子機器に適用した場合について説明したが、本発明はこのような携帯型の電子機器に限定されることなく据え置き型の電子機器にも適用できる。
【図面の簡単な説明】
【００４７】
【図１】本発明の一実施例に係るフロントパネルを備える携帯型ナビゲーション装置の正面から見た斜視図である。
【図２】本発明の一実施例に係るフロントパネルを備える携帯型ナビゲーション装置においてフロントパネルを取外した状態を示す斜視図である。
【図３】図２におけるフロントパネルを背面から見た斜視図である。
【図４】図１のＡ−Ａ線で切断した断面図である。
【図５】図４においてフロントパネルを取外す過程を示す断面図である。
【符号の説明】
【００４８】
１０・・・・携帯型ナビゲーション装置
１１・・・・筐体
１２・・・・表示部
１３・・・・フロントパネル
１４・・・・押し上げ機構
１５・・・・マーク
１６・・・・間隙
１１０Ｌ、１１０Ｒ、１１１、１１２・・・・係止孔
１３０Ｌ、１３０Ｒ、１３１・・・・係止爪
１１３・・・・位置決め孔
１３２・・・・係止片
１３３・・・・位置決め突起
１４１・・・・凸部
１４２・・・・弾性アーム
【図１】
2010067702.tif 000003
【図２】
2010067702.tif 000004
【図３】
2010067702.tif 000005
【図４】
2010067702.tif 000006
【図５】
2010067702.tif 000007